(57)【要約】      （修正有）【課題】オープンフロー基盤の分散アンテナシステムを提供する。【解決手段】分散アンテナシステム（ＤＡＳ）は、オープンフロープロトコルを使用して分散アンテナシステムユニットのトラフィック伝送政策を動的に制御するために、オープンフローコントローラであるＤＡＳコントローラ１０と１つ以上のＤＡＳユニットとを含む。ＤＡＳコントローラは、運用者操作またはソフトウェア定義ネットワーク支援アプリケーションなどによるトラフィック伝送政策変更要請及びＤＡＳユニット及びポートの状態によるトラフィック伝送政策変更の必要性を反映して、トラフィック伝送政策を生成、変更し、ＤＡＳユニットは、受信されたトラフィック伝送政策をデータ平面に反映して、その政策によって受信されたトラフィックを目的地に伝送する。【選択図】図３
2019068420.tif 000002
【特許請求の範囲】
【請求項１】
設定されたトラフィック伝送政策情報に基づいて入力ポートから受信されたトラフィックを出力ポートに送信するＤＡＳユニットと、
トラフィック伝送政策を生成または変更し、オープンフロープロトコルを用いて当該政策をＤＡＳユニットに伝送するＤＡＳコントローラと、を含むオープンフロー基盤の分散アンテナシステム。
【請求項２】
ＤＡＳユニットは、ヘッドエンドユニット、ハブユニット及びラジオユニットのうち何れか１つである請求項１に記載のオープンフロー基盤の分散アンテナシステム。
【請求項３】
ＤＡＳユニットは、ＤＡＳコントローラからトラフィック伝送政策を受信して、トラフィック伝送政策情報が保存されたフォワーディングテーブルを更新する請求項１に記載のオープンフロー基盤の分散アンテナシステム。
【請求項４】
前記トラフィック伝送政策は、ラジオトラフィックまたはイーサネット（登録商標）トラフィックに適用される政策である請求項１に記載のオープンフロー基盤の分散アンテナシステム。
【請求項５】
ＤＡＳユニットが、ＤＡＳコントローラが生成または変更したサービス分類政策及びフレーム化政策を受信して、サービスマッピング情報及びフレーム化情報が保存されたサービスマッピングテーブルを更新する請求項１に記載のオープンフロー基盤の分散アンテナシステム。
【請求項６】
ＤＡＳコントローラは、設定された周期でＤＡＳユニットからユニットの状態情報を受信し、状態情報変更時に、トラフィック伝送政策を変更し、オープンフロープロトコルを用いて変更された政策をＤＡＳユニットに伝送する請求項１に記載のオープンフロー基盤の分散アンテナシステム。
【請求項７】
ＤＡＳユニットは、ユニット内のポート状態変更情報をＤＡＳコントローラに伝送し、
ＤＡＳコントローラは、受信されたユニットのポート状態変更情報を反映して、トラフィック伝送政策を変更し、該変更された政策をＤＡＳユニットに伝送する請求項１に記載のオープンフロー基盤の分散アンテナシステム。
【請求項８】
ＤＡＳユニットが、オープンフロー基盤のトラフィック伝送政策をＤＡＳユニットのベンダー（Ｖｅｎｄｏｒ）規格のトラフィック伝送政策でマッピングして設定する請求項１に記載のオープンフロー基盤の分散アンテナシステム。
【請求項９】
ＤＡＳコントローラが、運用者端末または統合ソフトウェア定義ネットワーク支援アプリケーションから新規政策設定要請を受信する段階と、
ＤＡＳコントローラが、前記要請を新規政策情報で加工して、ＤＡＳユニットにオープンフロープロトコルを用いて伝送する段階と、
ＤＡＳユニットが、新規政策情報を受信する段階と、
ＤＡＳユニットが、受信された政策情報をＤＡＳユニットのデータ平面構造に合う設定情報でマッピングする段階と、
ＤＡＳユニットが、マッピングされた設定情報でフォワーディングテーブルを更新する段階と、を含むオープンフロー基盤の分散アンテナシステム政策設定方法。
【請求項１０】
前記政策情報は、ラジオトラフィック伝送政策情報またはイーサネット（登録商標）トラフィック伝送政策を含む請求項９に記載のオープンフロー基盤の分散アンテナシステム政策設定方法。
【請求項１１】
ＤＡＳユニットが、前記マッピングされた設定情報でサービス分類政策及びフレーム化政策を更新する段階をさらに含む請求項９に記載のオープンフロー基盤の分散アンテナシステム政策設定方法。
【請求項１２】
ＤＡＳコントローラが、設定された周期でＤＡＳユニットの状態情報を受信する段階と、
ＤＡＳコントローラが、受信された状態情報を反映して、トラフィック伝送政策を変更し、ＤＡＳユニットに変更された政策を伝送する段階と、をさらに含む請求項９に記載のオープンフロー基盤の分散アンテナシステム政策設定方法。
【請求項１３】
ＤＡＳユニットが、変更されたポート状態情報をＤＡＳコントローラに伝送する段階と、
ＤＡＳコントローラが、受信されたＤＡＳユニットのポート状態を反映して、トラフィック伝送政策を変更し、ＤＡＳユニットに変更された政策を伝送する段階と、をさらに含む請求項９に記載のオープンフロー基盤の分散アンテナシステム政策設定方法。
【請求項１４】
ＤＡＳユニットが、受信されたフレームのヘッダ情報からマッチングフィールドを抽出する段階と、
ＤＡＳユニットが、抽出されたマッチングフィールドでフォワーディングテーブルのマッチングルールと比較して、マッチされるトラフィック伝送政策によってルーティングして、フレームを出力ポートに送り出す段階と、を含むオープンフロー基盤の分散アンテナシステムトラフィックルーティング方法。
【請求項１５】
前記トラフィック伝送政策は、ラジオトラフィックまたはイーサネット（登録商標）トラフィックに適用される政策である請求項１４に記載のオープンフロー基盤の分散アンテナシステムトラフィックルーティング方法。
【請求項１６】
ＤＡＳユニットが、マッチングフィールドを抽出する段階以前に、入力ポートから受信されたトラフィックのサービスを分類し、該分類されたサービスによってフレーム化する段階をさらに含む請求項１４に記載のオープンフロー基盤の分散アンテナシステムトラフィックルーティング方法。
【請求項１７】
ＤＡＳユニットが、フレームを出力ポートに送り出す段階以前に、デフレーム化を行う段階をさらに含む請求項１４に記載のオープンフロー基盤の分散アンテナシステムトラフィックルーティング方法。
【発明の詳細な説明】
【技術分野】
【０００１】
本発明は、無線通信技術、特に、分散アンテナシステムに関する。
【背景技術】
【０００２】
分散アンテナシステム（Ｄｉｓｔｒｉｂｕｔｅｄ  Ａｎｔｅｎｎａ  Ｓｙｓｔｅｍ）は、移動通信事業者のマクロ（ｍａｃｒｏ）無線基地局のセルカバレッジ内に多数のアンテナを分散配置して、電波が到逹しにくい陰影地域を対象にして基地局の信号が到逹できるように、信号を増幅して中継する機能を行う装置であるが、最近、付加機能の１つとしてＬＴＥ／３Ｇスモールセル（ｓｍａｌｌｃｅｌｌ）とＷｉ−Ｆｉ（登録商標）  ＡＰなどを収容することができるバックホール（ｂａｃｋｈａｕｌ）伝送網の機能を支援している。
【０００３】
一般的に使われている分散アンテナシステムは、無線信号を伝達するに当って、静的に伝達政策を構成しており、最近、一部ベンダーがベンダー自体規格に基づいて、動的に資源に対する再配置が可能な機能を追加した分散アンテナシステムを販売している。
【０００４】
ソフトウェア定義ネットワーク（Ｓｏｆｔｗａｒｅ  Ｄｅｆｉｎｅｄ  Ｎｅｔｗｏｒｋ、ＳＤＮ）は、ソフトウェアプログラミングを通じてネットワーク経路設定と制御及び複雑な運用管理とを便利に処理する次世代ネットワーキング技術である。このために、ソフトウェア定義ネットワークでは、ネットワークのデータ平面（ｄａｔａ  ｐｌａｎｅ）と制御平面（ｃｏｎｔｒｏｌ  ｐｌａｎｅ）とを分離し、この間に標準化されたインターフェースを提供し、ネットワーク運用者が多様な状況に合わせて制御平面をプログラミングして、データ平面でなされる通信機能を多様な方式で制御することができる。
【０００５】
オープンフロー（Ｏｐｅｎｆｌｏｗ）プロトコルは、このようなソフトウェア定義ネットワークで主として使用するプロトコルであって、ユーザの政策によって、パケットの多様な分類、フォワーディング、帯域制御及び統計処理などを行うプロトコルである。
【先行技術文献】
【特許文献】
【０００６】
【特許文献１】米国特許出願公開第２０１３／０３４３７５５号明細書（２０１３年１２月２６日公開）
【特許文献２】韓国特許公開第１０−２０１３−００５２０３０号明細書（２０１３年５月２１日）
【特許文献３】韓国特許公開第１０−２０１５−００８８６２６号明細書（２０１５年８月３日）
【発明の概要】
【発明が解決しようとする課題】
【０００７】
本発明は、オープンフロープロトコルを用いて分散アンテナシステムのトラフィック伝送政策を動的に制御して、トラフィック伝送の効率性を向上させることを目的とする。
さらに、本発明は、標準プロトコルの使用による他のベンダー製品との互換性を強化させることを他の目的とする。
【０００８】
さらに、本発明は、オープンフロープロトコルから提供する多様な機能を使用して、分散アンテナシステムの機能を確張することをさらに他の目的とする。
さらに、本発明は、ソフトウェア定義ネットワーク（ＳＤＮ）を支援する分散アンテナシステムに進化することによって、柔軟かつ容易に再設定可能なネットワークを支援することにより、拡張性及び運用保持保守の容易性を実現することをさらに他の目的とする。
【課題を解決するための手段】
【０００９】
一態様による分散アンテナシステムは、ＤＡＳ（Ｄｉｓｔｒｉｂｕｔｅｄ  Ａｎｔｅｎｎａ  Ｓｙｓｔｅｍ）ユニットとＤＡＳコントローラとを含む。ＤＡＳユニットは、ヘッドエンドユニット、ハブユニット及びラジオユニットのうち何れか１つであり、設定されたトラフィック伝送政策に基づいて受信されたトラフィックをルーティングする。ＤＡＳコントローラは、運用者またはＳＤＮ基盤のアプリケーションから政策設定要請を受けて、トラフィック伝送政策を生成または変更し、当該トラフィック伝送政策をＤＡＳユニットに伝送する。
【００１０】
さらに他の態様によれば、ＤＡＳコントローラは、周期的にＤＡＳユニットの状態をチェックして、状態変更時に、動的にトラフィック伝送政策を変更して、ＤＡＳユニットに伝送する。
【００１１】
さらに他の態様によれば、ＤＡＳコントローラは、ＤＡＳユニットからポートの状態変更によるイベントを受信して、動的にトラフィック伝送政策を変更して、ＤＡＳユニットに伝送する。
【発明の効果】
【００１２】
本発明によれば、トラフィック伝送政策を変更するために、分散アンテナシステムの各ユニットで設定を変更する必要なしに、統合されたＳＤＮ支援アプリケーションを通じて、迅速かつ効率的にトラフィック伝送政策を設定するか、変更が可能である。
【００１３】
また、運用者によるトラフィック伝送政策変更だけではなく、各ユニット及びポートの状態によって、動的にトラフィック伝送政策の変更が可能である。
また、標準基盤のプロトコルの使用によって、標準による他のベンダー製品との連動互換性強化が可能である。
【００１４】
さらに、ラジオ（Ｒａｄｉｏ）トラフィックとイーサネット（登録商標）（Ｅｔｈｅｒｎｅｔ（登録商標））トラフィックとに同時適用可能なオープンフロー基盤の運用管理フレームワークの提供が可能である。
【図面の簡単な説明】
【００１５】
【図１】一実施形態によるオープンフロープロトコルを支援する分散アンテナシステムの構成を示すブロック図である。
【図２】図１に示された分散アンテナシステムで使われるフレーム構造を示す図面である。
【図３】一実施形態による分散アンテナシステムユニットの構成を示すブロック図である。
【図４】さらに他の実施形態によるオープンフロープロトコルを支援しない分散アンテナシステムユニットのデータ平面を設定する過程を示す図面である。
【図５】さらに他の実施形態によるオープンフロープロトコルを利用した分散アンテナシステム政策設定過程を示す図面である。
【図６】さらに他の実施形態による分散アンテナシステムのトラフィック伝送の一例を示す図面である。
【図７】図６に示されたトラフィック伝送に対する分散アンテナシステムユニットの設定された政策情報の一例を示す表である。
【図８】さらに他の実施形態による分散アンテナシステムの政策変更と、それによるトラフィック伝送の一例を示す図面である。
【図９】図８に示された政策変更とトラフィック伝送に対する分散アンテナシステムユニットの設定された政策情報の一例を示す表である。
【発明を実施するための形態】
【００１６】
前述した、そして、追加的な態様は、添付図面を参照して説明する実施形態を通じて具体化される。各実施形態の構成要素は、他の言及や相互間に矛盾がない限り、実施形態内で多様な組合わせが可能であると理解される。ブロック図の各ブロックは、如何なる場合において、物理的な部品を表現することができるが、さらに他の場合において、１つの物理的な部品の機能の一部あるいは複数の物理的な部品にわたった機能の論理的な表現である。時には、ブロックあるいはその一部の実体は、プログラム命令語の集合（ｓｅｔ）であり得る。このようなブロックは、全部あるいは一部がハードウェア、ソフトウェアあるいはこれらの結合によって具現可能である。
【００１７】
図１は、一実施形態によるオープンフロープロトコルを支援する分散アンテナシステムの構成を示すブロック図である。
【００１８】
分散アンテナシステムは、単一基地局と有線または専用回線で連結された多数の分散アンテナを活用したシステムであって、単一基地局は、基地局がサービスするセル内部に所定距離以上離れて位置する複数個のアンテナを管理する。複数個のアンテナがセル内で所定距離以上離れて分散されて位置するという点で、複数個の基地局アンテナがセル中に集中されている中央集中型アンテナシステム（Ｃｅｎｔｒａｌｉｚｅｄ  Ａｎｔｅｎｎａ  Ｓｙｓｔｅｍ）と区別される。
【００１９】
また、分散アンテナシステムは、分散アンテナのそれぞれのユニットが当該アンテナ領域を自体的に管轄することではない、セル中央の基地局でセル内に位置したあらゆる分散アンテナ領域を管轄するという点で、フェムトセル（Ｆｅｍｔｏ  ｃｅｌｌ）と区別される。また、分散アンテナユニットが有線または専用回線で連結されているという点で、基地局と中継局との間が無線で連結された多重ホップ方式のリレーシステムまたはアドホック（ａｄ−ｈｏｃ）ネットワークとも区別される。さらに基地局の命令に基づいて分散アンテナのそれぞれがアンテナに隣接したそれぞれの端末に互いに異なる信号を伝送しうるという点で、単に信号を増幅して伝送するリピーターとも区別される。
【００２０】
図１に示された一態様による分散アンテナシステムは、ＤＡＳユニットと、ＤＡＳコントローラ１０と、を含む。
【００２１】
ＤＡＳユニットは、ヘッドエンドユニット（Ｈｅａｄｅｎｄ  Ｕｎｉｔ）２０、ハブユニット（Ｈｕｂ  Ｕｎｉｔ）３０及びラジオユニット（Ｒａｄｉｏ  Ｕｎｉｔ）４０のうち何れか１つであり、既定のトラフィック伝送政策に基づいて、ユニットの入力ポートから受信されたトラフィックを出力ポートに送信する。
【００２２】
分散アンテナシステムのヘッドエンドユニット２０は、基地局とインターフェースされて多様な無線信号を受信し、デジタル化及びフレーム化して伝送する機能を行う。また、スモールセル及びＷｉ−Ｆｉ（登録商標）サービスに対するバックホール機能支援のために、イーサネット（登録商標）データを受信してフレーム化（ｆｒａｍｉｎｇ）した後、伝送する機能を行える。
ヘッドエンドユニット２０は、フレーム化を行う時、データ伝送のためのヘッダ情報を追加し、該追加されたヘッダ情報に基づいて、データ平面３００でトラフィック伝送政策のマッチフィールド（ｍａｔｃｈ  ｆｉｅｌｄ）と比較して、探した規則によってルーティングを行って、目的地ポートに当該フレームを伝送する。アップリンク（Ｕｐｌｉｎｋ）トラフィック処理は、逆順に進行する。
【００２３】
ヘッドエンドユニット２０は、基地局から受信したＲＦ（Ｒａｄｉｏ  ｆｒｅｑｕｅｎｃｙ）帯域のアナログ無線周波数信号をデジタル無線周波数信号に変換した後、複数の出力ポートに分配する。図１に示された実施形態では、ヘッドエンドユニット２０は、例示的に２個の出力ポートを有したと示された。
【００２４】
この出力ポートには、ハブユニット３０またはラジオユニット４０が連結されうる。
ハブユニット３０は、フレームを受信した後、フレームヘッダ情報に基づいて目的地ポートにフレームを伝送する機能を行う。発明のさらに他の態様によって、目的地ポートがスモールセルまたはＷｉ−Ｆｉ（登録商標）サービスを支援するためのイーサネット（登録商標）ポートである場合には、フレームからイーサネット（登録商標）情報を抽出した後、スイッチング機能を行う。アップリンクトラフィック処理は、逆順に進行する。
【００２５】
ラジオユニット４０は、フレームを受信した後、フレームヘッダ情報に基づいてフレームをＲＦ信号に変換及び送出するか、目的地ポートにフレームを伝送（Ｄａｉｓｙ  Ｃｈａｉｎの場合）するか、または目的地ポートがスモールセルまたはＷｉ−Ｆｉ（登録商標）サービスを支援するためのイーサネット（登録商標）ポートである場合には、フレームからイーサネット（登録商標）情報を抽出した後、当該Ｗｉ−Ｆｉ（登録商標）  ＡＰまたはスモールセルに伝送する機能を行う。アップリンクトラフィック処理は、逆順に進行する。
【００２６】
ＤＡＳコントローラ１０は、オープンフローコントローラでトラフィック伝送政策を生成または変更し、オープンフロープロトコルを用いて当該政策をＤＡＳユニット（ＨＥＵ、ＨＵ、ＲＵ）がデータ平面３００のフォワーディングテーブルに適用できるように、ＤＡＳユニットに伝送する。
【００２７】
ＤＡＳコントローラ１０は、オープンフロープロトコルを用いて分散アンテナシステムユニットのトラフィック伝送政策を管理し、制御する役割、ユニット及びユニットのポート状態を管理する役割及びポート基盤の統計情報を管理する役割を行う。特に、ＤＡＳコントローラ１０は、状態情報及び統計情報に基づいて、または運用者の設定によって、多様にトラフィック伝送政策を制御することができる機能を提供することができる。
ＤＡＳコントローラ１０は、分散アンテナシステムの管理システムと統合されて運用され、別途のシステムで動作するように運用されうる。
【００２８】
図１に示したように、Ｗｉ−Ｆｉ（登録商標）  ＡＰ及びスモールセルは、設置環境及びユーザの要求事項によってバックホールサービスのために、ハブユニット３０及びラジオユニット４０に連結して動的に構成することができる。
【００２９】
設置されるＷｉ−Ｆｉ（登録商標）  ＡＰ及びスモールセルの個数が多くなり、ユーザが増えることによって、分散アンテナシステムから提供するバックホールサービスの混雑（ｃｏｎｇｅｓｔｉｏｎ）は発生するしかないので、ＱｏＳ（Ｑｕａｌｉｔｙ  ｏｆ  Ｓｅｒｖｉｃｅ）処理をオープンフローから提供するメータリング（ｍｅｔｅｒｉｎｇ）機能を通じて提供して、サービス効率性を向上させうる。
【００３０】
図２は、図１に示された分散アンテナシステムで使われるフレーム構造を示す図面である。
【００３１】
図２を参照すれば、分散アンテナシステムの各システムユニット（ＨＥＵ、ＨＵ、ＲＵ）は、フロントホール（ｆｒｏｎｔｈａｕｌ）及びバックホールサービスのために、受信したデータをフレーム化して伝送する。この際、１つのフレームは、フレームヘッダ（ｆｒａｍｅ  ｈｅａｄｅｒ）とフレームデータ（ｆｒａｍｅ  ｄａｔａ）とを含む。
【００３２】
フレームヘッダは、当該フレームの特徴に関する情報を含む部分であって、目的地タグ（ｄｅｓｔｉｎａｔｉｏｎ  ｔａｇ）と、ソースタグ（ｓｏｕｒｃｅ  ｔａｇ）と、ベンダー特定情報（ｖｅｎｄｏｒ  ｓｐｅｃｉｆｉｃ  ｉｎｆｏｒｍａｔｉｏｎ）と、を含みうる。
【００３３】
ここで、目的地タグは、当該フレームの最終到着地を指定するネットワーク上で識別可能なタグであって、イーサネット（登録商標）にマッピングすれば、目的地イーサネット（登録商標）アドレス（ｄｅｓｔｉｎａｔｉｏｎ  Ｅｔｈｅｒｎｅｔ（登録商標）  ａｄｄｒｅｓｓ）のような役割を行う。
また、ソースタグは、当該フレームの生成地を指定するネットワーク上で識別可能なタグであって、イーサネット（登録商標）にマッピングすれば、発信源イーサネット（登録商標）アドレス（ｓｏｕｒｃｅ  Ｅｔｈｅｒｎｅｔ（登録商標）  ａｄｄｒｅｓｓ）のような役割を行う。ソースタグは、送信者を示すタグであって、必ずしも必要な要素ではなく、場合によっては省略が可能である。
また、ベンダー特定情報は、当該ベンダーが提供する特別な機能のための用途として使われ、システム管理者によってさらに設定可能な情報を含む。
【００３４】
目的地イーサネット（登録商標）アドレスと類似した目的地タグ値をフレームの伝送アドレスとして使用して、当該フレームを多様な目的地に伝送する一般的な分散アンテナシステムの機能は、ヘッダに含まれた多様なフィールドのうち、一部をマッチフィールドにしてフレームを分類した後、多様なアクション（例えば、特定の出力ポートにフレームを伝送）を取るオープンフローで支援する機能と同じである。したがって、ソフトウェア定義ネットワークで、その構築技術として使われるプロトコルであるオープンフロープロトコルを分散アンテナシステムの各ユニットの制御平面２００のプロトコルとして使用し、実際にデータを処理する分散アンテナシステムの各ユニットのデータ平面３００は、図２のような形態を使用するベンダー自体規格のフレームルーティングを支援可能であり、フレームヘッダをイーサネット（登録商標）ヘッダのような標準規格の汎用的なヘッダを使用する場合にも、制御平面２００の変更なしに使用可能な効果が発生する。
【００３５】
図３は、一実施形態による分散アンテナシステムユニットの構成を示すブロック図である。
【００３６】
図３は、図１に示されたオープンフロープロトコルを利用したトラフィック伝送機能を使用する分散アンテナシステムの各ユニットのモジュール構造を図示したものである。
【００３７】
ＤＡＳコントローラ１０は、オープンフローコントローラであって、ＤＡＳユニット伝送政策管理モジュール１００と、ＤＡＳユニット及びポート状態管理モジュール１１０と、ＤＡＳユニット統計情報管理モジュール１２０と、を含みうる。ＤＡＳコントローラ１０は、オープンフロープロトコルを用いてＤＡＳユニット（ＨＥＵ、ＨＵ、ＲＵ）に対するトラフィック伝送政策を管理する機能と、ユニット及びユニットのポート状態を管理する機能と、ＤＡＳユニットの統計情報を管理する機能と、を行える。
【００３８】
ＤＡＳユニット伝送政策管理モジュール１００は、運用者の操作またはソフトウェア定義ネットワークの統合管理のために存在する外部の上位ネットワーク管理システム（ｎｏｒｔｈｂｏｕｎｄ  ｎｅｔｗｏｒｋ  ｍａｎａｇｅｍｅｎｔ  ｓｙｓｔｅｍ）のアプリケーションなどを通じてトラフィック伝送政策変更が必要な場合、オープンフロープロトコルを用いて、各ＤＡＳユニットにトラフィック伝送政策変更を要請する。また、ＤＡＳユニット伝送政策管理モジュール１００は、ＤＡＳユニット及びポート状態管理モジュール１１０を通じて、各ＤＡＳユニットから伝送された状態イベントによって、動的にトラフィック伝送政策を変更し、ＤＡＳユニット統計情報管理モジュール１２０から聚合された各ＤＡＳユニットからの統計情報などに基づいて、動的にトラフィック伝送政策を生成または変更することができる。
【００３９】
ＤＡＳユニット及びポート状態管理モジュール１１０は、オープンフロープロトコルから提供する制御メッセージを通じてＤＡＳユニットのポート状態が変更されれば、ＤＡＳユニットから当該変更イベントを受信して、ＤＡＳユニットのポート状態を管理する機能を行い、また、ＤＡＳユニットと周期的に状態管理メッセージを交換して、ＤＡＳユニット自体の状態を点検し、管理する機能を行える。前述したとおりに、ＤＡＳユニット伝送政策管理モジュール１００は、ＤＡＳユニット及びポート状態管理モジュール１１０で管理するユニット及びポートの状態によって、動的にトラフィック伝送政策を変更することができる。
【００４０】
ＤＡＳユニット統計情報管理モジュール１２０は、オープンフロープロトコルから提供する多様なポート及びユニット統計機能を用いて、各ＤＡＳユニットの現在資源使用状態を周期的にモニタリングする機能を行える。前述したとおりに、ＤＡＳユニット伝送政策管理モジュール１００は、ＤＡＳユニット統計情報管理モジュール１２０から聚合された各ＤＡＳユニットからの統計情報などに基づいて、動的にトラフィック伝送政策を生成または変更することができる。
【００４１】
ＤＡＳユニットは、ヘッドエンドユニット２０と、ハブユニット３０と、ラジオユニット４０のうち何れか１つに該当する。各ＤＡＳユニットは、制御平面２００とデータ平面３００とに分離されている。制御平面２００は、ＤＡＳユニットに流入される信号を処理し、伝達に必要な制御情報を構築し、保存することができる。データ平面３００は、ＤＡＳユニットに流入される信号を受信し、フレーム化し、ルーティングする機能を行える。
ＤＡＳユニットの制御平面２００は、オープンフロープロトコルを用いてオープンフローコントローラであるＤＡＳコントローラ１０と連動を行い、サーブモジュールとして伝送政策制御モジュール２１０と、状態管理モジュール２２０と、統計処理モジュール２３０と整合階層（ｍｅｄｉａｔｉｏｎ  ｌａｙｅｒ）２４０と、を含みうる。
【００４２】
伝送政策制御モジュール２１０は、トラフィック伝送政策情報に対する追加、削除または変更イベントをＤＡＳコントローラ１０から受信して、データ平面３００の情報を変更する機能を行える。
【００４３】
すなわち、ＤＡＳユニットは、ＤＡＳコントローラ１０からトラフィック伝送政策を受信して、トラフィック伝送政策情報が保存されたデータ平面３００のフォワーディングテーブルを更新する。
【００４４】
また、ＤＡＳユニットは、ＤＡＳコントローラ１０が生成または変更したサービス分類政策及びフレーム化政策を受信して、サービスマッピング情報及びフレーム化情報が保存されたサービスデータ平面３００のマッピングテーブルを更新することができる。
【００４５】
この際、変更されるトラフィック伝送政策は、マクロ無線基地局に対するフロントホール機能支援のために、ラジオトラフィックまたはスモールセル及びＷｉ−Ｆｉ（登録商標）に対するバックホール機能支援のために、イーサネット（登録商標）トラフィックに適用される政策であり得る。
イーサネット（登録商標）トラフィックに適用される政策の場合、ラジオトラフィックに適用される政策よりもさらに多様に構成が可能である。これは、イーサネット（登録商標）ヘッダがさらに多様な情報を有しているためである。オープンフローに適用可能な条件は、物理的ポート番号からＯＳＩ階層４のＴＣＰ／ＵＤＰポート番号まで多様に適用可能である。このような条件を使用してイーサネット（登録商標）トラフィックに対してフレーム伝送方法を決定することができる。
状態管理モジュール２２０は、ＤＡＳコントローラ１０と周期的に状態情報を交換して、互いの状態を管理する機能とユニット内のポート状態が変更された時、当該イベントをＤＡＳコントローラ１０に伝送する機能とを行う。
【００４６】
すなわち、ＤＡＳコントローラ１０は、設定された周期でＤＡＳユニットの状態管理モジュール２２０からユニットの状態情報を受信し、ユニットの状態情報変更時に、それを動的に反映して、トラフィック伝送政策を変更し、オープンフロープロトコルを用いて変更された政策を再びＤＡＳユニットに伝送しうる。この際、ユニットの状態情報を交換する周期は、運用者が網運用政策と網特性とによって最適の時間を設定することができる。
また、ＤＡＳユニットの状態管理モジュール２２０は、ユニット内のポート状態変更情報をＤＡＳコントローラ１０に伝送し、ＤＡＳコントローラ１０は、受信されたユニットのポート状態変更情報を反映して、動的にトラフィック伝送政策を変更し、該変更された政策を再びＤＡＳユニットに伝送しうる。
【００４７】
統計処理モジュール２３０は、周期的にデータ平面３００から処理されるポート別にトラフィック統計を収集して、ＤＡＳコントローラ１０に報告する機能を行える。ＤＡＳコントローラ１０は、各ユニット別の統計及びポート別の統計情報などに基づいて、動的にトラフィック伝送政策を生成または変更することができる。
【００４８】
また、運用者が、この収集された統計情報に基づいてトラフィック伝送政策変更をＤＡＳコントローラ１０に要請し、ソフトウェア定義ネットワークの統合管理のために存在する外部の上位ネットワーク管理システムのアプリケーションなどを通じてトラフィック伝送政策変更をＤＡＳコントローラ１０に要請することができる。
【００４９】
整合階層２４０は、ＤＡＳユニットのデータ平面３００がオープンフロープロトコルを支援せず、ベンダー自体規格の機能のみ支援する場合にも、共に連動させる。整合階層２４０は、オープンフロープロトコル情報に基づいてベンダー政策とマッピングして連動する機能を行える。一例として、整合階層２４０は、ＤＡＳユニットのデータ平面３００でベンダー自体規格を使用し、上位制御平面２００は、オープンフロー規格を使用させうる。
【００５０】
すなわち、ＤＡＳユニットのデータ平面３００が、ベンダー自体規格のトラフィック伝送機能のみを提供する場合、整合階層２４０は、オープンフロー基盤のトラフィック伝送政策をＤＡＳユニットのベンダー自体規格のトラフィック伝送政策でマッピングして設定することができる。
【００５１】
ＤＡＳユニットのデータ平面３００は、データを処理する機能を行い、サーブモジュールとしてトラフィックルーティング機能３１０と、統計処理機能３２０と、を含みうる。
トラフィックルーティング機能３１０は、制御平面２００によって設定された情報に基づいて入力ポートから受信されたトラフィックを出力ポートに送信する機能を行う。多様な形態のトラフィック伝送を支援するために、Ｎ  ｔｏ  Ｍルーティング機能を支援する。
トラフィックルーティングは、データ平面３００内に設定されたフォワーディングテーブルによって行われ、このフォワーディングテーブルは、オープンフロープロトコルを通じてＤＡＳコントローラ１０の要請によって制御平面２００の伝送政策制御モジュール２１０を通じて更新される。
【００５２】
フォワーディングテーブルは、フローテーブル（Ｆｌｏｗ  Ｔａｂｌｅ）と、グループテーブル（Ｇｒｏｕｐ  Ｔａｂｌｅ）と、メーターテーブル（Ｍｅｔｅｒ  Ｔａｂｌｅ）と、を含みうる。
【００５３】
フローテーブルは、条件（ｍａｔｃｈ  ｆｉｅｌｄ）と、処理（ａｃｔｉｏｎｓ）と、統計（ｃｏｕｎｔｅｒｓ）という情報を含んで構成されて、特定のトラフィックがフローテーブルの特定のエントリーの条件と一致すれば、設定された処理を実行せよとの情報を保存したテーブルである。
【００５４】
グループテーブルは、特定のトラフィックに対して一連の処理が実行されるように構成されるテーブルである。フローテーブルの処理情報がグループテーブルのエントリー情報であるグループＩＤである場合に、当該グループテーブルに保存されたａｃｔｉｏｎ  ｂｕｃｋｅｔｓの処理情報が順に行われる。グループテーブルは、グループＩＤとグループタイプ、統計、ａｃｔｉｏｎ  ｂｕｃｋｅｔｓで構成され、グループタイプは、あらゆるａｃｔｉｏｎ  ｂｕｃｋｅｔｓの処理を実行するか、一部のみ実行するか否かを決定する。
【００５５】
メーターテーブルは、オープンフローで単純なＱｏＳを多様な方式で具現できるように提供される。一例として、特定のポートのトラフィック帯域幅を測定し、その帯域幅を調節する方法が使われる。
【００５６】
統計処理機能３２０は、入力ポートから受信されたトラフィック、出力ポートに送信したトラフィックに対する各種の統計情報を記録する。また、制御平面２００の統計処理モジュール２３０が使用できるように、当該情報を伝送する機能を提供する。
【００５７】
図４は、さらに他の実施形態によるオープンフロープロトコルを支援しない分散アンテナシステムユニットのデータ平面３００を設定する過程を示す図面である。
【００５８】
図４を参照して説明すれば、一例として、オープンフローコントローラが、運用者の操作またはソフトウェア定義ネットワークの統合管理のために存在する外部の上位ネットワーク管理システムのアプリケーションなどを通じて、「マッチフィールドが目的地タグ１０であり、処理で目的地タグ１０をイーサネット（登録商標）目的地アドレスに変換してフレームを伝送せよ」というトラフィック伝送政策の変更を指示されれば、当該政策をＤＡＳユニットに伝送する。
【００５９】
ＤＡＳユニットの制御平面２００は、オープンフローコントローラから受信したトラフィック伝送政策を加工して整合階層２４０に伝送する。
【００６０】
整合階層２４０は、データ平面３００のオープンフロープロトコルを支援するか、それともベンダー自体規格のみ支援するかによって異なるように動作する。図４に示したように、ベンダー自体規格のみ支援する場合であれば、データ平面３００は、イーサネット（登録商標）目的地アドレスを通じるルーティングを支援しないので、ベンダー自体規格に合わせて目的地タグを保持して、フレームを目的地にルーティングするように変更してデータ平面３００に伝達する。
【００６１】
データ平面３００は、受信したトラフィック伝送政策をフローテーブルに反映して、フローテーブルを更新する。一例として、オープンフロープロトコルでは、目的地タグをイーサネット（登録商標）目的地アドレスに変更することを要請したが、データ平面３００がオープンフロープロトコルを支援しないので、要請とは異なって、ベンダー自体規格に合わせて目的地タグを保持することに変更されてフローテーブルに更新される。
【００６２】
図５は、さらに他の実施形態によるオープンフロープロトコルを利用した分散アンテナシステム政策設定過程を示す図面である。
【００６３】
一態様によれば、オープンフロー基盤の分散アンテナシステム政策設定方法は、ＤＡＳコントローラ１０が、運用者端末または統合ソフトウェア定義ネットワーク支援アプリケーションから新規政策設定要請を受信する段階と、ＤＡＳコントローラ１０が、前記要請を新規政策情報で加工して、ＤＡＳユニットにオープンフロープロトコルを用いて伝送する段階と、ＤＡＳユニットが、新規政策情報を受信する段階と、ＤＡＳユニットが、受信された政策情報をＤＡＳユニットのデータ平面３００構造に合う設定情報でマッピングする段階と、ＤＡＳユニットが、マッピングされた設定情報でフォワーディングテーブルを更新する段階と、を含む。
【００６４】
さらに他の態様によれば、オープンフロー基盤の分散アンテナシステム政策設定方法で更新される政策情報は、ラジオトラフィック伝送政策情報またはイーサネット（登録商標）トラフィック伝送政策を含みうる。
【００６５】
さらに他の態様によれば、オープンフロー基盤の分散アンテナシステム政策設定方法は、ＤＡＳユニットが、マッピングされた設定情報でサービス分類政策及びフレーム化政策を更新する段階をさらに含みうる。
【００６６】
図５を参照して説明すれば、（１）ＤＡＳコントローラ１０、すなわち、オープンフローコントローラが、新規政策情報を設定要請を運用者のＣＬＩ（Ｃｏｍｍａｎｄ  Ｌｉｎｅ  Ｉｎｔｅｒｆａｃｅ）またはウェブインターフェース（Ｗｅｂ  Ｉｎｔｅｒｆａｃｅ）を通じる入力などを通じて受信するか、またはソフトウェア定義ネットワークの統合管理のために存在する外部の上位ネットワーク管理システムのアプリケーションから受信すれば、オープンフローコントローラは、当該政策情報を加工して、関連したＤＡＳユニットに政策情報を伝達する。図５に示された例では、オープンフローコントローラは、当該政策情報をヘッドエンドユニットＡと、ハブユニットＢと、ラジオユニットＣと、にそれぞれ伝送する。
【００６７】
（２）ＤＡＳユニットの制御平面２００のオープンフローチャネルが、オープンフローコントローラからオープンフロープロトコルを用いて政策情報を受信し、該受信された政策情報を整合階層２４０に伝達する。
【００６８】
（３）ＤＡＳユニットの制御平面２００の整合階層２４０は、オープンフロープロトコルの政策情報を下位データ平面３００の構造に合わせてマッピングする過程を行う。この際、データ平面３００がオープンフロープロトコルを支援すれば、受信された政策情報そのままフォワーディングテーブルを更新し、オープンフロープロトコルを支援せず、ベンダー自体規格のみ支援する場合には、ベンダー規格に合わせてマッピングしてフォワーディングテーブルを更新する。当該フォワーディングテーブルに更新された情報は、トラフィックルーティングを行う情報になる。
【００６９】
（４）ＤＡＳユニットが、ヘッドエンドユニット２０やラジオユニット４０のように受信されたトラフィックに対してフレーム化またはデフレーム化（ｄｅｆｒａｍｉｎｇ）を行うユニットである場合には、サービス分類及びフレーム化のための政策情報をデータ平面３００のサービスマッピング及びフレーム化テーブルに更新する。
分散アンテナシステムが提供するサービスは、マクロフロントホールサービス及びスモールセル／Ｗｉ−Ｆｉ（登録商標）バックホールサービスに分類されうる。
【００７０】
マクロフロントホールサービスは、主に１つ以上のマクロ無線基地局信号（ＣＤＭＡ、ＧＳＭ（登録商標）、ＷＣＤＭＡ（登録商標）、ＬＴＥ、ＬＴＥ−Ａなど）を統合して、遠距離に位置したラジオユニット４０まで伝送するか、その逆方向の伝送を提供するサービスを言う。すなわち、ヘッドエンドユニット２０は、多様な事業者のＲＦ信号、ＣＰＲＩ（Ｃｏｍｍｏｎ  Ｐｕｂｌｉｃ  Ｒａｄｉｏ  Ｉｎｔｅｒｆａｃｅ）フレームを受信し、これらを複数のラジオユニット４０に伝達する。この際、ＲＦ信号またはＣＰＲＩフレームの伝送は、分散アンテナシステムの自体伝送網を使用し、ラジオユニット４０は、ＲＦ信号を元の信号に復元し、ＣＲＰＲフレームをＲＦ信号に変換して無線で伝送する。
【００７１】
スモールセル／Ｗｉ−Ｆｉ（登録商標）バックホールサービスは、スモールセルやＷｉ−Ｆｉ（登録商標）サービス支援のために、分散アンテナシステムの自体伝送網を使用して、イーサネット（登録商標）パケットをハブユニット３０やラジオユニット４０に連結されたＷｉ−Ｆｉ（登録商標）  ＡＰまたはスモールセルに伝送するか、その逆方向の伝送を提供するサービスを言う。
【００７２】
フレーム化は、受信されたトラフィックをデータにするフレームデータと目的地タグ、ソースタグ、ベンダー特定情報を含むフレームヘッダで構成されるフレームを生成することであり、デフレーム化は、目的地タグの目的地からフレームのヘッダを除去し、フレームデータを抽出することである。
【００７３】
追加的態様によれば、ＤＡＳコントローラ１０は、ＤＡＳユニットの状態とＤＡＳユニットのポート状態とによって、動的にトラフィック伝送政策を変更し、それをＤＡＳユニットに伝送しうる。
【００７４】
すなわち、オープンフロー基盤の分散アンテナシステム政策設定方法は、ＤＡＳコントローラ１０が、設定された周期でＤＡＳユニットの状態情報を受信する段階と、ＤＡＳコントローラ１０が、受信された状態情報を反映して、トラフィック伝送政策を変更し、ＤＡＳユニットに変更された政策を伝送する段階と、をさらに含みうる。
【００７５】
また、オープンフロー基盤の分散アンテナシステム政策設定方法は、ＤＡＳユニットが、変更されたポート状態情報をＤＡＳコントローラ１０に伝送する段階と、ＤＡＳコントローラ１０が、受信されたＤＡＳユニットのポート状態を反映して、トラフィック伝送政策を変更し、ＤＡＳユニットに変更された政策を伝送する段階と、をさらに含みうる。
【００７６】
図６は、さらに他の実施形態による分散アンテナシステムのトラフィック伝送の一例を示す図面であり、図７は、図６に示されたトラフィック伝送に対する分散アンテナシステムユニットの設定された政策情報の一例を示す表である。
【００７７】
一態様によるオープンフロー基盤の分散アンテナシステムのトラフィックルーティング方法は、ＤＡＳユニットが、受信されたフレームのヘッダ情報からマッチングフィールドを抽出する段階と、ＤＡＳユニットが、抽出されたマッチングフィールドでフォワーディングテーブルのマッチングルールと比較して、マッチされるトラフィック伝送政策によってルーティングして、フレームを出力ポートに送り出す段階と、を含む。
【００７８】
さらに他の態様によれば、オープンフロー基盤の分散アンテナシステムのトラフィック伝送政策は、ラジオトラフィックまたはイーサネット（登録商標）トラフィックに適用される政策を支援するトラフィックルーティング政策に基づいてルーティングする方法を含みうる。
【００７９】
さらに他の態様によれば、オープンフロー基盤の分散アンテナシステムのトラフィックルーティング方法は、ＤＡＳユニットが、マッチングフィールドを抽出する段階以前に、入力ポートから受信されたトラフィックのサービスを分類し、該分類されたサービスによってフレーム化する段階をさらに含みうる。
【００８０】
さらに他の態様によれば、オープンフロー基盤の分散アンテナシステムのトラフィックルーティング方法は、ＤＡＳユニットが、フレームを出力ポートに送り出す段階以前に、デフレーム化を行う段階をさらに含みうる。
【００８１】
図５に示された過程を通じて、図７に示した表のように、ＤＡＳユニットの政策情報が設定されたことを仮定する。
【００８２】
図６と図７とを参照して、分散アンテナシステムのダウンリンク方向のトラフィック伝送例を説明する。
【００８３】
まず、図７を参照して、各ユニットの政策情報の設定例を説明する。ヘッドエンドユニットＡは、フレーム化を行うユニットであって、ヘッドエンドユニットＡの政策情報は、サービスマッピング及びフレーム化テーブルとフォワーディングテーブルとに保存されている。サービスマッピング及びフレーム化テーブルとフォワーディングテーブルがいずれも条件（ｍａｔｃｈ  ｒｕｌｅ）と措置（ａｃｔｉｏｎ）とを含んでおり、図７の例では、２個のエントリーで構成されている。
【００８４】
図７のヘッドエンドユニットＡのサービスマッピング及びフレーム化テーブルを見れば、受信されたトラフィックのサービスを分類して、サービスがＳｅｒｖｉｃｅ  Ａとマッチされる場合には、目的地タグをＸにしてフレームヘッダを追加する措置を行い、Ｓｅｒｖｉｃｅ  Ｂとマッチされる場合には、目的地タグをＹにしてフレームヘッダを追加する措置を行うように構成されている。
【００８５】
図７のヘッドエンドユニットＡのフォワーディングテーブルを見れば、受信されたフレームのフレームヘッダの目的地タグがＸとマッチされる場合には、当該フレームを出力ポート４番に伝送し、目的地タグがＹとマッチされる場合には、当該フレームを出力ポート５番に伝送するように構成されている。
【００８６】
ハブユニットＢは、フレーム化を行わないユニットであって、ハブユニットＢの政策情報は、フォワーディングテーブルに保存されている。ハブユニットＢのフォワーディングテーブルも、条件と措置とを含んでおり、図７の例では、２個のエントリーで構成されている。
【００８７】
図７のハブユニットＢのフォワーディングテーブルを見れば、受信されたフレームの入力ポートが１番であり、フレームヘッダの目的地タグがＸとマッチされる場合には、当該フレームを出力ポート３番に伝送し、受信されたフレームの入力ポートが１番であり、目的地タグがＹとマッチされる場合には、当該フレームを出力ポート３番に伝送するように構成されている。
【００８８】
ラジオユニットＣは、フレーム化を行うユニットやダウンリンクでは、デフレーム化を行うので、フォワーディングテーブルに保存された政策情報のみ示されている。ラジオユニットＣのフォワーディングテーブルも、条件と措置とを含んでおり、図７の例では、２個のエントリーで構成されている。
【００８９】
図７のラジオユニットＣのフォワーディングテーブルを見れば、受信されたフレームの入力ポートが１番であり、フレームヘッダの目的地タグがＸとマッチされる場合には、当該フレームを出力ポート２番に伝送し、受信されたフレームの入力ポートが１番であり、目的地タグがＹとマッチされる場合には、当該フレームを出力ポート３番に伝送するように構成されている。
【００９０】
図７に示されたテーブルの構成に基づいて図６を説明すれば、まず、Ｓｅｒｖｉｃｅ  Ａに該当するＲＦ信号をヘッドエンドユニットＡがポート１番を通じてマクロ基地局から受信する。図６から受信されたＲＦ信号は、ボックス１番と表示されている。
【００９１】
ヘッドエンドユニットＡのデータ平面３００でサービスマッピングとフレーム化とを行う。したがって、受信されたＲＦ信号のサービスとマッピングされるサービスとをサービスマッピング及びフレーム化テーブルの条件に探す。図７の表によれば、最初のエントリーのＳｅｒｖｉｃｅ  Ａとマッチされるので、受信されたＲＦ信号をフレームデータにし、フレームヘッダの目的地タグをＸにしてフレーム化する。この際、フレームヘッダにソースタグとベンダー特定情報も共に含まれるが、ルーティング過程の説明では省略する。
【００９２】
ヘッドエンドユニットＡのデータ平面３００は、受信されたＲＦ信号をフレーム化した後、フレームヘッダの目的地タグ値を用いてフォワーディングテーブルでマッチされる条件を探す。図６及び図７によれば、フレームの目的地タグがＸで構成されたので、フォワーディングテーブルの最初のエントリーとマッチされる。したがって、データ平面３００は、当該フレームを措置に保存された値のように出力ポート４番に伝送する。
【００９３】
ハブユニットＢのデータ平面３００は、受信されたフレームの入力ポート番号とフレームヘッダの目的地タグ値をキーワードにして、フォワーディングテーブルでマッチされる条件を探す。図６及び図７によれば、受信されたフレームの入力ポートが１番ポートであり、フレームの目的地タグがＸなので、フォワーディングテーブルの最初のエントリーとマッチされる。したがって、データ平面３００は、当該フレームを措置に保存された値のように出力ポート３番に伝送する。
【００９４】
ラジオユニットＣのデータ平面３００は、受信されたフレームの入力ポート番号とフレームヘッダの目的地タグ値をキーワードにして、フォワーディングテーブルでマッチされる条件を探す。図６及び図７によれば、受信されたフレームの入力ポートが１番ポートであり、フレームの目的地タグがＸなので、フォワーディングテーブルの最初のエントリーとマッチされる。したがって、データ平面３００は、当該フレームを措置に保存された値のように出力ポート２番に伝送する。
【００９５】
また、ダウンリンクのさらに他の例であるボックス２番ＲＦ信号についても説明する。Ｓｅｒｖｉｃｅ  Ｂに該当するＲＦ信号をヘッドエンドユニットＡがポート２番を通じてマクロ基地局から受信する。図６から受信されたＲＦ信号は、ボックス２番と表示されている。
【００９６】
ヘッドエンドユニットＡのデータ平面３００でサービスマッピングとフレーム化とを行う。したがって、受信されたＲＦ信号のサービスとマッピングされるサービスとをサービスマッピング及びフレーム化テーブルの条件に探す。図７の表によれば、二番目のエントリーのＳｅｒｖｉｃｅ  Ｂとマッチされるので、受信されたＲＦ信号をフレームデータにし、フレームヘッダの目的地タグをＹにしてフレーム化する。
【００９７】
ヘッドエンドユニットＡのデータ平面３００は、受信されたＲＦ信号をフレーム化した後、フレームヘッダの目的地タグ値を用いてフォワーディングテーブルでマッチされる条件を探す。図６及び図７によれば、フレームの目的地タグがＹで構成されたので、フォワーディングテーブルの二番目のエントリーとマッチされる。したがって、データ平面３００は、当該フレームを措置に保存された値のように出力ポート５番に伝送する。
【００９８】
ハブユニットＢのデータ平面３００は、受信されたフレームの入力ポート番号とフレームヘッダの目的地タグ値をキーワードにして、フォワーディングテーブルでマッチされる条件を探す。図６及び図７によれば、受信されたフレームの入力ポートが１番ポートであり、フレームの目的地タグがＹなので、フォワーディングテーブルの二番目のエントリーとマッチされる。したがって、データ平面３００は、当該フレームを措置に保存された値のように出力ポート３番に伝送する。
【００９９】
ラジオユニットＣのデータ平面３００は、受信されたフレームの入力ポート番号とフレームヘッダの目的地タグ値をキーワードにして、フォワーディングテーブルでマッチされる条件を探す。図６及び図７によれば、受信されたフレームの入力ポートが１番ポートであり、フレームの目的地タグがＹなので、フォワーディングテーブルの二番目のエントリーとマッチされる。したがって、データ平面３００は、当該フレームを措置に保存された値のように出力ポート３番に伝送する。
【０１００】
図８は、さらに他の実施形態による分散アンテナシステムの政策変更と、それによるトラフィック伝送の一例を示す図面であり、図９は、図８に示された政策変更とトラフィック伝送に対する分散アンテナシステムユニットの設定された政策情報の一例を示す表である。
【０１０１】
図５に示された過程を通じて、図７に示した表のように、設定されたＤＡＳユニットの政策情報が、Ｓｅｒｖｉｃｅ  Ｂがこれ以上ラジオユニットＣに必要ではなく、ラジオユニットＥに必要となって、政策が変更されたことを仮定する。
【０１０２】
図８と図９とを参照して、分散アンテナシステムのダウンリンク方向のトラフィック伝送が、図６及び図７のトラフィック伝送と変わった例を説明する。
【０１０３】
まず、図９を参照して、各ユニットの政策情報の設定例を説明する。ヘッドエンドユニットＡは、フレーム化を行うユニットであって、ヘッドエンドユニットＡの政策情報は、サービスマッピング及びフレーム化テーブルとフォワーディングテーブルとに保存されている。サービスマッピング及びフレーム化テーブルとフォワーディングテーブルがいずれも条件と措置とを含んでおり、図９の例でも、図７の場合のように、２個のエントリーで構成されている。
【０１０４】
図９のヘッドエンドユニットＡのサービスマッピング及びフレーム化テーブルを見れば、受信されたトラフィックのサービスを分類して、サービスがＳｅｒｖｉｃｅ  Ａとマッチされる場合には、目的地タグをＸにしてフレームヘッダを追加する措置を行い、Ｓｅｒｖｉｃｅ  Ｂとマッチされる場合には、目的地タグをＹにしてフレームヘッダを追加する措置を行うように構成されている。
【０１０５】
図９のヘッドエンドユニットＡのフォワーディングテーブルを見れば、受信されたフレームのフレームヘッダの目的地タグがＸとマッチされる場合には、当該フレームを出力ポート４番に伝送し、目的地タグがＹとマッチされる場合には、当該フレームを出力ポート６番に伝送するように構成されている。
【０１０６】
ハブユニットＢは、フレーム化を行わないユニットであって、ハブユニットＢの政策情報は、フォワーディングテーブルに保存されている。ハブユニットＢのフォワーディングテーブルも、条件と措置とを含んでおり、図７の例とは異なって、１個のエントリーで構成されている。
【０１０７】
図９のハブユニットＢのフォワーディングテーブルを見れば、受信されたフレームの入力ポートが１番であり、フレームヘッダの目的地タグがＸとマッチされる場合には、当該フレームを出力ポート３番に伝送するように構成されている。そして、図７の例とは異なって、目的地タグＹのマッチ条件は削除されている。これは、ハブユニットＢに連結されたラジオユニットＣでこれ以上Ｓｅｒｖｉｃｅ  Ｂを要しないために、オープンフローコントローラの政策制御を受けてテーブルで削除したものである。
【０１０８】
ラジオユニットＣは、フレーム化を行うユニットやダウンリンクでは、デフレーム化を行うので、フォワーディングテーブルに保存された政策情報のみ示されている。ラジオユニットＣのフォワーディングテーブルも、条件と措置とを含んでおり、図７の例とは異なって、１個のエントリーで構成されている。
【０１０９】
図９のラジオユニットＣのフォワーディングテーブルを見れば、受信されたフレームの入力ポートが１番であり、フレームヘッダの目的地タグがＸとマッチされる場合には、当該フレームを出力ポート２番に伝送するように構成されている。そして、図７の例とは異なって、目的地タグＹのマッチ条件は削除されている。これは、ハブユニットＢに連結されたラジオユニットＣでこれ以上Ｓｅｒｖｉｃｅ  Ｂを要しないために、オープンフローコントローラの政策制御を受けてテーブルで削除したものである。
ハブユニットＤは、フレーム化を行わないユニットであって、ハブユニットＤの政策情報は、フォワーディングテーブルに保存されている。ハブユニットＤのフォワーディングテーブルも、条件と措置とを含んでおり、図９の例では、１個のエントリーで構成されている。
【０１１０】
図９のハブユニットＤのフォワーディングテーブルを見れば、受信されたフレームの入力ポートが１番であり、フレームヘッダの目的地タグがＹとマッチされる場合には、当該フレームを出力ポート３番に伝送するように構成されている。そして、図７の例とは異なって、目的地タグＹのマッチ条件は、ハブユニットＤに追加されている。これは、ハブユニットＤに連結されたラジオユニットＥでＳｅｒｖｉｃｅ  Ｂを必要とするために、オープンフローコントローラの政策制御を受けてテーブルに追加したものである。
【０１１１】
ラジオユニットＥは、フレーム化を行うユニットやダウンリンクでは、デフレーム化を行うので、フォワーディングテーブルに保存された政策情報のみ示されている。ラジオユニットＥのフォワーディングテーブルも、条件と措置とを含んでおり、図９の例では、１個のエントリーで構成されている。
【０１１２】
図９のラジオユニットＥのフォワーディングテーブルを見れば、受信されたフレームの入力ポートが１番であり、フレームヘッダの目的地タグがＹとマッチされる場合には、当該フレームを出力ポート３番に伝送するように構成されている。そして、図７の例とは異なって、目的地タグＹのマッチ条件は、ラジオユニットＤに追加されている。これは、ラジオユニットＥでＳｅｒｖｉｃｅ  Ｂを必要とするために、オープンフローコントローラの政策制御を受けてテーブルに追加したものである。
【０１１３】
図９に示されたテーブルの構成に基づいて図８を説明すれば、まず、Ｓｅｒｖｉｃｅ  Ａに該当するＲＦ信号をヘッドエンドユニットＡがポート１番を通じてマクロ基地局から受信する。図８から受信されたＲＦ信号は、ボックス１番と表示されている。
【０１１４】
ヘッドエンドユニットＡのデータ平面３００でサービスマッピングとフレーム化とを行う。したがって、受信されたＲＦ信号のサービスとマッピングされるサービスとをサービスマッピング及びフレーム化テーブルの条件に探す。図９の表によれば、最初のエントリーのＳｅｒｖｉｃｅ  Ａとマッチされるので、受信されたＲＦ信号をフレームデータにし、フレームヘッダの目的地タグをＸにしてフレーム化する。この際、フレームヘッダにソースタグとベンダー特定情報も共に含まれるが、ルーティング過程の説明では省略する。
【０１１５】
ヘッドエンドユニットＡのデータ平面３００は、受信されたＲＦ信号をフレーム化した後、フレームヘッダの目的地タグ値を用いてフォワーディングテーブルでマッチされる条件を探す。図８及び図９によれば、フレームの目的地タグがＸで構成されたので、フォワーディングテーブルの最初のエントリーとマッチされる。したがって、データ平面３００は、当該フレームを措置に保存された値のように出力ポート４番に伝送する。
【０１１６】
ハブユニットＢのデータ平面３００は、受信されたフレームの入力ポート番号とフレームヘッダの目的地タグ値をキーワードにして、フォワーディングテーブルでマッチされる条件を探す。図８及び図９によれば、受信されたフレームの入力ポートが１番ポートであり、フレームの目的地タグがＸなので、フォワーディングテーブルの最初のエントリーとマッチされる。したがって、データ平面３００は、当該フレームを措置に保存された値のように出力ポート３番に伝送する。
【０１１７】
ラジオユニットＣのデータ平面３００は、受信されたフレームの入力ポート番号とフレームヘッダの目的地タグ値をキーワードにして、フォワーディングテーブルでマッチされる条件を探す。図８及び図９によれば、受信されたフレームの入力ポートが１番ポートであり、フレームの目的地タグがＸなので、フォワーディングテーブルの最初のエントリーとマッチされる。したがって、データ平面３００は、当該フレームを措置に保存された値のように出力ポート２番に伝送する。
【０１１８】
また、ダウンリンクのさらに他の例であるボックス２番ＲＦ信号についても説明する。Ｓｅｒｖｉｃｅ  Ｂに該当するＲＦ信号をヘッドエンドユニットＡがポート２番を通じてマクロ基地局から受信する。図８から受信されたＲＦ信号は、ボックス２番と表示されている。
【０１１９】
ヘッドエンドユニットＡのデータ平面３００でサービスマッピングとフレーム化とを行う。したがって、受信されたＲＦ信号のサービスとマッピングされるサービスとをサービスマッピング及びフレーム化テーブルの条件に探す。図９の表によれば、二番目のエントリーのＳｅｒｖｉｃｅ  Ｂとマッチされるので、受信されたＲＦ信号をフレームデータにし、フレームヘッダの目的地タグをＹにしてフレーム化する。
【０１２０】
ヘッドエンドユニットＡのデータ平面３００は、受信されたＲＦ信号をフレーム化した後、フレームヘッダの目的地タグ値を用いてフォワーディングテーブルでマッチされる条件を探す。図８及び図９によれば、フレームの目的地タグがＹで構成されたので、フォワーディングテーブルの二番目のエントリーとマッチされる。したがって、データ平面３００は、当該フレームを措置に保存された値のように出力ポート６番に伝送する。
【０１２１】
ハブユニットＤのデータ平面３００は、受信されたフレームの入力ポート番号とフレームヘッダの目的地タグ値をキーワードにして、フォワーディングテーブルでマッチされる条件を探す。図８及び図９によれば、受信されたフレームの入力ポートが１番ポートであり、フレームの目的地タグがＹなので、フォワーディングテーブルの最初のエントリーとマッチされる。したがって、データ平面３００は、当該フレームを措置に保存された値のように出力ポート３番に伝送する。
【０１２２】
ラジオユニットＥのデータ平面３００は、受信されたフレームの入力ポート番号とフレームヘッダの目的地タグ値をキーワードにして、フォワーディングテーブルでマッチされる条件を探す。図８及び図９によれば、受信されたフレームの入力ポートが１番ポートであり、フレームの目的地タグがＹなので、フォワーディングテーブルの最初のエントリーとマッチされる。したがって、データ平面３００は、当該フレームを措置に保存された値のように出力ポート３番に伝送する。
【０１２３】
図６ないし図９に図示されていないが、トラフィックを伝送する過程は、２種のパターンに区分することができる。最初のパターンは、各ＤＡＳユニットのデータ平面３００に当該フレームを処理するフォワーディングテーブルが設定されており、定められた措置によって伝送しうる場合であり、二番目のパターンは、各ＤＡＳユニットのデータ平面３００に当該フレームを処理するフォワーディングテーブルが設定されていない場合であって、ＤＡＳユニットは、当該フレームを、一旦バッファに保存し、コントローラに適したルーティング政策を問い合わせ、コントローラが適したルーティング政策を樹立してフォワーディングテーブルを更新できるように指示し、ＤＡＳユニットがフォワーディングテーブルを更新すれば、バッファに保存されたフレームを定められた措置によって伝送する。この場合のさらに他の例としては、当該フレームを廃棄することもできる。
【０１２４】
以上、本発明を添付図面を参照する実施形態を通じて説明したが、これに限定されるものではなく、これらから当業者ならば、自明に導出することができる多様な変形例を包括するように解析されねばならない。特許請求の範囲は、このような変形例を包括するように意図された。
【産業上の利用可能性】
【０１２５】
本発明は、オープンフロー基盤の分散アンテナシステム関連の技術分野に適用可能である。
【符号の説明】
【０１２６】
１０    ＤＡＳコントローラ
１００  ＤＡＳユニット伝送政策管理モジュール
１１０  ＤＡＳユニット及びポート状態管理モジュール
１２０  ＤＡＳユニット統計情報管理モジュール
２０    ヘッドエンドユニット
３０    ハブユニット
４０    ラジオユニット
２００  制御平面
２１０  伝送政策制御モジュール
２２０  状態管理モジュール
２３０  統計処理モジュール
２４０  整合階層
３００  データ平面
３１０  トラフィックルーティング機能
３２０  統計処理機能
【図１】
2019068420.tif 000003
【図２】
2019068420.tif 000004
【図３】
2019068420.tif 000005
【図４】
2019068420.tif 000006
【図５】
2019068420.tif 000007
【図６】
2019068420.tif 000008
【図７】
2019068420.tif 000009
【図８】
2019068420.tif 000010
【図９】
2019068420.tif 000011